(57)【要約】  非ＡＰ／ＰＣＰ通信装置は、ＡＰ／ＰＣＰ通信装置から送信された、ＳＰＳＨの実施可否判断に用いる測定を要求する測定要求を受信する受信回路と、測定要求に基づいて、測定をした結果を、ＡＰ／ＰＣＰ通信装置に送信する送信回路と、を含み、通信相手である第１の他の非ＡＰ／ＰＣＰ通信装置と通信する期間である第１の通信期間を用いて、送信回路及び受信回路は、第１の通信方式を用いて、第１の他の非ＡＰ／ＰＣＰ通信装置と通信を行い、第１の他の非ＡＰ／ＰＣＰ通信装置と通信しない、測定要求に含まれる第２の通信期間において、受信回路は、第１の通信方式を用いて、受信する信号の測定を行い、測定結果は、受信した信号の測定に関する情報、および、第１の通信方式に関する情報を含む。
2020095557.tif 000002
【特許請求の範囲】
【請求項１】
ＡＰ／ＰＣＰ通信装置から送信された、ＳＰＳＨの実施可否判断に用いる測定を要求する測定要求を受信する受信回路と、
前記測定要求に基づいて、前記測定をした結果を、前記ＡＰ／ＰＣＰ通信装置に送信する送信回路と、を含み、
通信相手である第１の他の非ＡＰ／ＰＣＰ通信装置と通信する期間である第１の通信期間を用いて、
前記送信回路及び前記受信回路は、第１の通信方式を用いて、前記第１の他の非ＡＰ／ＰＣＰ通信装置と通信を行い、
前記第１の他の非ＡＰ／ＰＣＰ通信装置と通信しない、前記測定要求に含まれる第２の通信期間において、
前記受信回路は、前記第１の通信方式を用いて、受信する信号の測定を行い、
前記測定結果は、前記受信した信号の測定に関する情報、および、前記第１の通信方式に関する情報を含む、
非ＡＰ／ＰＣＰ通信装置。
【請求項２】
複数の非ＡＰ／ＰＣＰ通信装置に対して、ＳＰＳＨの実施可否判断に用いる測定を要求する複数の測定要求を送信する送信回路と、
前記複数の非ＡＰ／ＰＣＰ通信装置が測定した複数の測定結果を受信する受信回路と、
前記複数の測定結果に応じて、前記ＳＰＳＨの実施可否判断を行う判断回路と、を含み、
前記複数の測定要求のそれぞれは、第１の通信期間に通信を行う前記非ＡＰ／ＰＣＰ通信装置に関する情報、前記測定を行う第２の通信期間に関する情報を含み、
前記複数の測定結果のそれぞれは、前記測定において用いた通信方式、前記測定結果を含む、
ＡＰ／ＰＣＰ通信装置。 
【発明の詳細な説明】
【技術分野】
【０００１】
本開示は、通信装置に関する。
【背景技術】
【０００２】
本開示は、ワイヤレス通信に関し、より詳しくは、指向性ＷＬＡＮ（ワイヤレスローカルエリアネットワーク：Ｗｉｒｅｌｅｓｓ  Ｌｏｃａｌ  Ａｒｅａ  Ｎｅｔｗｏｒｋ）システムにおいて空間共有（Ｓｐａｔｉａｌ  Ｓｈａｒｉｎｇ：ＳＰＳＨ）を達成するための方法に関する。ミリ波通信にてＳＰＳＨを利用し、高速データ伝送を実現する方式として、IEEE802.11ay規格（１１ａｙ規格という）の標準化が行われている（非特許文献１，２を参照）。
【先行技術文献】
【非特許文献】
【０００３】
【非特許文献１】IEEE802.11-2016 pp.1870-1872
【非特許文献２】IEEE802.11-16/1609r3
【発明の概要】
【発明が解決しようとする課題】
【０００４】
しかしながら、非特許文献１に開示されたＳＰＳＨの方法では、ＳＰＳＨのための測定に用いる通信方式（ＳＩＳＯ通信及び／又はＳＵ−ＭＩＭＯ通信）と、ＳＰＳＨを実施する通信方式とが異なる場合については考慮されていないため、適切なＳＰＳＨの実施のための測定が困難であった。【０００５】
本開示の一態様は、適切なＳＰＳＨの実施のための測定ができる通信装置の提供に資する。
【課題を解決するための手段】
【０００６】
本開示の一態様に係る非ＡＰ／ＰＣＰ通信装置は、ＡＰ／ＰＣＰ通信装置から送信された、ＳＰＳＨの実施可否判断に用いる測定を要求する測定要求を受信する受信回路と、前記測定要求に基づいて、前記測定をした結果を、前記ＡＰ／ＰＣＰ通信装置に送信する送信回路と、を含み、通信相手である第１の他の非ＡＰ／ＰＣＰ通信装置と通信する期間である第１の通信期間を用いて、前記送信回路及び前記受信回路は、第１の通信方式を用いて、前記第１の他の非ＡＰ／ＰＣＰ通信装置と通信を行い、前記第１の他の非ＡＰ／ＰＣＰ通信装置と通信しない、前記測定要求に含まれる第２の通信期間において、前記受信回路は、前記第１の通信方式を用いて、受信する信号の測定を行い、前記測定結果は、前記受信した信号の測定に関する情報、および、前記第１の通信方式に関する情報を含む、構成を採る。【０００７】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００８】
本開示の一態様によれば、適切なＳＰＳＨの実施のための測定ができる通信装置を提供できる。【０００９】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１０】
【図１】本実施の形態に係る通信システムの構成の一例を示す図
【図２】本実施の形態に係る通信装置が決定するスケジューリングの一例を示す図
【図３】図２の第ｎビーコンインターバル（BI #nと記載）のスケジューリングを、ＳＰＳＨを行うように変更した第（ｎ＋１）ビーコンインターバル（BI #n+1と記載）のスケジューリングの一例を示す図
【図４Ａ】本実施の形態に係る通信装置がＳＰＳＨを行う手順を示す図
【図４Ｂ】本実施の形態に係る通信装置がＳＰＳＨを行う手順を示す図
【図５】１つ以上のアンテナアレイを備えた通信装置を含む通信システムの構成の一例を示す図
【図６Ａ】本実施の形態に係る通信装置の構成の一例を示す図
【図６Ｂ】本実施の形態に係る通信装置の構成の一例を示す図
【図７Ａ】本実施の形態に係る通信装置がＳＰＳＨを行う手順を示す図
【図７Ｂ】本実施の形態に係る通信装置がＳＰＳＨを行う手順を示す図
【図８】ＡＰ／ＰＣＰである通信装置が送信する測定要求を示す図
【図９】非ＡＰ／ＰＣＰである通信装置が送信する測定報告に含まれるＭｅａｓｕｒｅｍｅｎｔ  Ｒｅｐｏｒｔ  ｅｌｅｍｅｎｔ（測定報告エレメント）のフォーマットの一例を示す図
【図１０】Ｍｅａｓｕｒｅｍｅｎｔ  Ｃｏｎｆｉｇｕｒａｔｉｏｎサブエレメントのフォーマットの一例を示す図
【図１１】Ｅｘｔｅｎｄｅｄ  Ｍｅａｓｕｒｅｍｅｎｔ  Ｃｏｎｆｉｇｕｒａｔｉｏｎサブエレメントのフォーマットの一例を示す図
【図１２】Ｅｘｔｅｎｄｅｄ  Ｍｅａｓｕｒｅｍｅｎｔ  Ｒｅｐｏｒｔサブエレメントのフォーマットの一例を示す図
【図１３】ＥＤＭＧ  Ｅｘｔｅｎｄｅｄ  Ｓｃｈｅｄｕｌｅエレメントのフォーマットの一例を示す図
【発明を実施するための形態】
【００１１】
ＩＥＥＥ８０２．１１−２０１６規格のＳＰＳＨ手順について、図を用いて説明する。
【００１２】
図１は、本実施の形態に係る通信システムの構成の一例を示す図である。通信装置１００ａ、１００ｂ、１００ｃ、１００ｄ、２００はそれぞれ１つ以上のアンテナアレイを備える。各アンテナアレイは、１つ以上のアンテナ素子を含む。
【００１３】
通信装置１００ａ、１００ｂ、１００ｃ、１００ｄ、２００のいずれか少なくとも１つは、ＰＣＰ（Ｐｅｒｓｏｎａｌ  Ｂａｓｉｃ  Ｓｅｒｖｉｃｅ  Ｓｅｔ（ＰＢＳＳ）  Ｃｏｎｔｒｏｌ  Ｐｏｉｎｔ）またはＡＰ（Ａｃｃｅｓｓ  Ｐｏｉｎｔ）の機能を持つ通信装置であってよく、ＰＣＰ／ＡＰ、もしくは、ＡＰ／ＰＣＰと表記する。一例として、通信装置２００はＰＣＰ、通信装置１００ａ、１００ｂ、１００ｃ、１００ｄは非ＡＰ／ＰＣＰである。非ＡＰ／ＰＣＰはＰＣＰまたはＡＰではない通信装置を示す。
【００１４】
通信装置１００ａは通信装置１００ｂと通信を行う。通信装置２００は、通信装置１００ａと通信装置１００ｂが通信を行うための時間をサービス期間（Ｓｅｒｖｉｃｅ  Ｐｅｒｉｏｄ）ＳＰ１１００と定め、通信装置１００ａ、１００ｂ、１００ｃ、１００ｄに通知してもよい。
【００１５】
通信装置１００ｃは通信装置１００ｄと通信を行う。通信装置２００は、通信装置１００ｃと通信装置１００ｄが通信を行うための時間をサービス期間ＳＰ１２００と定め、通信装置１００ａ、１００ｂ、１００ｃ、１００ｄに通知してもよい。
【００１６】
図２は、本実施の形態に係る通信装置２００が決定するスケジューリングの一例（スケジューリング１０００）を示す図である。通信装置２００は、ビーコン間隔（Ｂｅａｃｏｎ  Ｉｎｔｅｒｖａｌ）を時刻ｔ１から時刻ｔ８までと定め、時刻ｔ１から時刻ｔ４をビーコンヘッダ期間（ＢＨＩ、Ｂｅａｃｏｎ  Ｈｅａｄｅｒ  Ｉｎｔｅｒｖａｌ）と定める。ＢＨＩは、時刻ｔ１からｔ２までのビーコン送信期間（ＢＴＩ、Ｂｅａｃｏｎ  Ｔｒａｎｓｍｉｓｓｉｏｎ  Ｉｎｔｅｒｖａｌ）を含み、時刻ｔ２からｔ３までのアソシエーションビームフォーミングトレーニング期間（Ａ−ＢＦＴ、Ａｓｓｏｃｉａｔｉｏｎ  Ｂｅａｍｆｏｒｍｉｎｇ  Ｔｒａｉｎｉｎｇ）及び時刻ｔ３からｔ４までのアナウンス送信期間（ＡＴＩ、Ａｎｎｏｕｎｃｅｍｅｎｔ  Ｔｒａｎｓｍｉｓｓｉｏｎ  Ｉｎｔｅｒｖａｌ）を含んでもよい。
【００１７】
なお、時刻ｔ１〜ｔ８は、ビーコンインターバルの開始時刻からのオフセット時間と定める。つまり、ｔ１はオフセット時間が０であることを示す。
【００１８】
ビーコン間隔からＢＨＩを除いた期間を、データ送信期間（ＤＴＩ、Ｄａｔａ  Ｔｒａｎｓｆｅｒ  Ｉｎｔｅｒｖａｌ）と呼ぶ。通信装置２００は、ＤＴＩに、１以上のコンテンションベースアクセス期間（ＣＢＡＰ、Ｃｏｎｔｅｎｔｉｏｎ  Ｂａｓｅｄ  Ａｃｃｅｓｓ  Ｐｅｒｉｏｄ）及び／又は１以上のサービス期間を含めてもよい。一例として、図２において、通信装置２００は、時刻ｔ４から時刻ｔ５をＣＢＡＰ１、時刻ｔ５から時刻ｔ６をＳＰ１（ＳＰ１１００）、時刻ｔ６から時刻ｔ７をＳＰ２（ＳＰ１２００）、時刻ｔ７から時刻ｔ８をＣＢＡＰ２と定める。
【００１９】
図３は、図２の第ｎビーコンインターバル（BI #nと記載）のスケジューリングを、ＳＰＳＨを行うように変更した第（ｎ＋１）ビーコンインターバル（BI #n+1と記載）のスケジューリングの一例を示す図である。
【００２０】
通信装置２００は、ＳＰ１１００及びＳＰ１２００のＳＰＳＨを行う場合、ＳＰ１１００及びＳＰ１２００のいずれか一方を既存ＳＰ（Ｅｘｉｓｔｉｎｇ  ＳＰ）、他方を候補ＳＰ（Ｃａｎｄｉｄａｔｅ  ＳＰ）であると決定する。つまり、候補ＳＰのスケジューリング（割当て開始時刻ｔ６）を変更することによって、既存ＳＰと候補ＳＰの割当て期間が重なるようにし、空間共有を行う。
【００２１】
図３において、通信装置２００は、既存ＳＰ１１００の割当て時間（ｔ５〜ｔ６）を変更せずＳＰＳＨの割当てＳＰ１３００と定め、候補ＳＰ１２００の割当て時間をＳＰ１３００と重複するように変更して（ｔ９〜ｔ１０）、ＳＰＳＨの割り当てＳＰ１４００と定める。
【００２２】
ＳＰ１３００とＳＰ１４００とのＳＰＳＨを行うことによって、ｔ６〜ｔ７に他の期間を割り当てることができるため（例えば、ＣＢＡＰ３）、無線周波数の利用効率を高め、多くのデータを通信することができる。
【００２３】
通信装置２００は、図２のスケジューリング１０００から図３のスケジューリング１５００に変更してＳＰＳＨを実行する場合、図２の第ｎビーコンインターバル期間においてＳＰ１１００とＳＰ１２００との間の干渉を評価し、図３のＳＰＳＨが実行可能か否かを判定する。干渉の評価を含む、ＳＰＳＨの手順の詳細について、次に説明する。
【００２４】
図４Ａ、図４Ｂは、通信装置２００の制御により、通信装置１００ａ、１００ｂ、１００ｃ、１００ｄがＳＰＳＨを行う手順を示す図である。
【００２５】
図４Ａにおいて、第ｎビーコンインターバルのＢＴＩにおいて、通信装置２００は、スケジューリング１０００の情報を１つ以上のビーコンフレームに含め、送信する。（ステップＳ２００１）
【００２６】
通信装置１００ａ、１００ｂ、１００ｃ、１００ｄは、ビーコンフレームを受信する。
【００２７】
通信装置２００は、既存ＳＰを割り当てられている各通信装置（通信装置１００ａ、１００ｂ）に測定要求を送信する。測定要求は、一例として、Ｍｅａｓｕｒｅｍｅｎｔ  Ｒｅｑｕｅｓｔ  ｅｌｅｍｅｎｔ（測定要求エレメント）を含むＭＡＣフレームである。測定要求は、候補ＳＰ１２００の割当て期間において、通信装置１００ａ、通信装置１００ｂが干渉を測定するための指示情報を含む。指示情報は、干渉測定開始タイミング情報、干渉測定期間情報、干渉測定方法、通信相手情報を含み、干渉測定方法は、一例として、ＡＮＩＰＩ（Ａｖｅｒａｇｅ  Ｎｏｉｓｅ  ｐｌｕｓ  ｉｎｔｅｒｆｅｒｅｎｃｅ  ｐｏｗｅｒ  ｉｎｄｉｃａｔｏｒ、平均ノイズ干渉電力指標）、ＲＳＮＩ（Ｒｅｃｅｉｖｅｄ  Ｓｉｇｎａｌ−ｔｏ−ｎｏｉｓｅ  ｉｎｄｉｃａｔｏｒ、受信信号対ノイズ比指標）が指定される。（ステップＳ２００２）
【００２８】
通信相手情報は、既存ＳＰを割り当てられている通信装置の識別番号（一例として、ＡＩＤ、Ａｓｓｏｃｉａｔｉｏｎ  ＩＤ）である。通信装置２００は、通信装置１００ａに測定要求を送信する場合、通信相手情報として、通信装置５００ｂのＡＩＤを含めて送信してもよい。つまり、測定要求に含まれる通信相手情報は、既存ＳＰに関する情報であるが、干渉測定開始タイミング情報、干渉測定期間情報は、測定を候補ＳＰの期間中に行うため（後述のＳ２２０７ｂを参照）、候補ＳＰに関連する時間情報である。
【００２９】
通信装置２００は、候補ＳＰを割り当てられている各通信装置（通信装置１００ｃ、１００ｄ）に測定要求を送信する。（ステップＳ２００３）
【００３０】
なお、ステップＳ２００２、Ｓ２００３において、通信装置２００が、通信装置１００ａ、１００ｂ、１００ｃ、１００ｄに測定要求を送信する順序は、図３に示す順序に限定されない。また、通信装置２００は、通信装置１００ａ宛、通信装置１００ｂ宛、通信装置１００ｃ宛、通信装置１００ｄ宛の測定要求をそれぞれ別のフレームに含めて送信してもよい。
【００３１】
通信装置１００ａ、１００ｂは、ＳＰ１１００の割当て期間において、データフレームの送受信を行う。（ステップＳ２００４）
【００３２】
通信装置１００ｃ、１００ｄは、ＳＰ１１００の割当て期間において、ステップＳ２００３において受信した測定要求の情報に基づき、干渉電力の大きさ（ＡＮＩＰＩまたはＲＳＮＩ）を測定する。（ステップＳ２００５ａ、Ｓ２００５ｂ）
【００３３】
通信装置１００ｃ、１００ｄは、ＳＰ１２００の割当て期間において、データフレームの送受信を行う。（ステップＳ２００６）
【００３４】
通信装置１００ａ、１００ｂは、ＳＰ１２００の割当て期間において、ステップＳ２００２において受信した測定要求の情報に基づき、干渉電力の大きさ（ＡＮＩＰＩまたはＲＳＮＩ）を測定する。（ステップＳ２００７ａ、Ｓ２００７ｂ）
【００３５】
通信装置１００ａは、ステップＳ２００７ａにおいて測定した干渉電力の大きさを、測定報告に含め、通信装置２００に送信する。測定報告は、一例として、Ｍｅａｓｕｒｅｍｅｎｔ  Ｒｅｐｏｒｔ  ｅｌｅｍｅｎｔ（測定報告エレメント）を含むＭＡＣフレームである。（ステップＳ２００８ａ）
【００３６】
通信装置１００ｂ、１００ｃ、１００ｄも同様に、ステップＳ２００７ｂ、Ｓ２００５ａ、Ｓ２００５ｂにおいて測定した干渉電力の大きさを、測定報告に含め、通信装置２００にそれぞれ送信する。（ステップＳ２００８ｂ、Ｓ２００８ｃ、Ｓ２００８ｄ）
【００３７】
なお、ステップＳ２００８ａ、Ｓ２００８ｂ、Ｓ２００８ｃ、Ｓ２００８ｄは、図示した順序と異なる順序で実行されてもよい。また、図３では、ＳＰ１１００（ステップＳ２００４）の後にＳＰ１２００（ステップＳ２００６）が割り当てられている例を示したため、ステップＳ２００８ｃ、Ｓ２００８ｄはステップＳ２００６、Ｓ２００８ａ、Ｓ２００８ｂの後に実行さえる例を示した。図３と異なり、ＳＰ１１００とＳＰ１２００との間に別の割当て（例えば、図示しないＣＢＡＰ）がある場合、通信装置１００ｃ及び／または１００ｄは、ステップＳ２００６の前にステップＳ２００８ｃ、Ｓ２００８ｄを実行してもよい。
【００３８】
通信装置２００は、通信装置１００ａ、１００ｂ、１００ｃ、１００ｄから測定報告を受信した場合、既存ＳＰ１１００と候補ＳＰ１２００のＳＰＳＨを実行可能か否かを決定する。（ステップＳ２００９）
【００３９】
例えば、通信装置２００は、通信装置１００ａ、１００ｂ、１００ｃ、１００ｄから測定報告において報告される干渉電力量がいずれも基準値以下である場合、ＳＰＳＨを実行可能と判断する。干渉電力量の基準値は、一例として、ＭＣＳ１（Ｍｏｄｕｌａｔｉｏｎ  ａｎｄ  Ｃｏｄｉｎｇ  Ｓｃｈｅｍｅ  １）の感度点電力としてもよい。
【００４０】
図４Ｂにおいて、ＡＰ／ＰＣＰである通信装置２００は、ステップＳ２００９において既存ＳＰ１１００と候補ＳＰ１２００とのＳＰＳＨを実行可能と判断した場合、次のＢＩ（第ｎ＋１ビーコンインターバル）のＢＴＩにおいて、ＳＰＳＨを許可したスケジューリング情報１５００をビーコンフレームに含め、送信する。（ステップＳ２０１０）
【００４１】
非ＡＰ／ＰＣＰである通信装置１００ａ、１００ｂは、ＳＰ１３００の割当て期間において、データフレームの送受信を行う。（ステップＳ２００４ａ）
【００４２】
通信装置１００ｃ、１００ｄは、ＳＰ１４００の割当て期間において、データフレームの送受信を行う。スケジューリング情報１５００によれば、ＳＰ１４００の割り当て時間は、ＳＰ１３００の割り当て時間と重複があってもよい。（ステップＳ２００６ａ）
【００４３】
これにより、通信装置１００ａと通信装置１００ｂとの間の通信、及び、通信装置１００ｃと通信装置１００ｄとの間の通信が同時に行われ（空間共有：ＳＰＳＨという）、スループットを高め、無線リソースの利用効率を高めることができる。
【００４４】
しかしながら、従来のＩＥＥＥ８０２．１１−２０１６規格のＳＰＳＨ規格（非特許文献１を参照）では、各通信装置が複数のアンテナアレイを備え、複数のアンテナアレイを同時に使用してダイバーシチ受信やＭＩＭＯ（Ｍｕｌｔｉ−Ｉｎｐｕｔ  Ｍｕｌｔｉ−Ｏｕｔｐｕｔ）通信を行う場合に、ＳＰＳＨを行う手順は考慮されていなかった。
【００４５】
また、非特許文献２では、複数のアンテナを備える通信装置がＳＰＳＨを行う方法が記載されているが、各通信装置が通信相手の通信装置及び送信するフレームの種類に応じて受信アンテナ構成（使用するアンテナの数、及び指向性の設定）を変更して通信することが考慮されていない。
【００４６】
このため、通信装置２００は、ＳＰＳＨにおける通信時（ステップＳ２００４ａ、Ｓ２００６ａ）において受信する干渉電力の大きさを、干渉測定（ステップＳ２００５ａ、Ｓ２００５ｂ、Ｓ２００７ａ、Ｓ２００７ｂ）時に測定された干渉電力の大きさを元に推定することが困難であり、ステップＳ２００９においてＳＰＳＨ実施可否を正確に判定することが困難であった。
【００４７】
これにより、通信装置２００は、通信時の干渉電力が小さい場合においてＳＰＳＨ実施不可と判断したり、通信時の干渉電力が大きい場合においてＳＰＳＨ実施可能と判断したりする場合があり、無線周波数の利用効率が低下し、通信誤り率の増加を招いた。
【００４８】
（実施の形態１）
図５は、１つ以上のアンテナアレイを備えた通信装置５００ａ、５００ｂ、５００ｃ、５００ｄ、６００を含む通信システムの構成の一例を示す図である。
【００４９】
一例において、通信装置５００ａ、５００ｂ、５００ｃ、５００ｄは非ＡＰ／ＰＣＰであり、通信装置６００は、ＡＰ／ＰＣＰである。通信装置５００ａ、５００ｂは、ＳＰ１１００において、ＳＩＳＯ及びＳＵ−ＭＩＭＯ（Ｓｉｎｇｌｅ  Ｕｓｅｒ  ＭＩＭＯ，シングルユーザＭＩＭＯ）通信を行う。通信装置５００ｃ、５００ｄは、ＳＰ１２００において、ＳＩＳＯ及びＳＵ−ＭＩＭＯ通信を行う。
【００５０】
図６Ａは、通信装置５００ａ、５００ｂ、５００ｃ、５００ｄ、６００の構成の一例を示す図である。通信装置５００ａ、５００ｂ、５００ｃ、５００ｄ、６００は、一例として、ホスト１３０、ＭＡＣ回路１２０、ＰＨＹ回路１１０、ＲＦモジュール回路１０９を備える。
【００５１】
ＲＦモジュール回路１０９は、一例として、アンテナアレイ１０１ａ、１０１ｂ、スイッチ回路（ＳＷ）１０２ａ、１０２ｂ、送信ＲＦ（Radio Frequency）回路１０３ａ、１０３ｂ、受信ＲＦ回路１０４ａ、１０４ｂを備える。なお、送信ＲＦ（Radio Frequency）回路１０３ａ、１０３ｂ、受信ＲＦ回路１０４ａ、１０４ｂは、送信高周波回路、受信高周波回路と呼んでもよい。
【００５２】
アンテナアレイ１０１ａ、１０１ｂは、無線信号の送信及び受信を行う。スイッチ回路１０２ａ、１０２ｂは、アンテナアレイ１０１ａ、１０１ｂの接続先を時分割で切り替え、動作モードが送信である場合、送信ＲＦ回路１０３ａ、１０３ｂへ接続し、動作モードが受信である場合、受信ＲＦ回路１０４ａ、１０４ｂへ接続することで、アンテナアレイ１０１ａ、１０１ｂを送信と受信とに時分割で対応させるための回路である。なお、ＳＵ−ＭＩＭＯ通信では、アンテナアレイ１０１ａ、１０１ｂで異なるデータを含む信号を送受信する。
【００５３】
なお、通信装置５００ａ、５００ｂ、５００ｃ、５００ｄ、６００は、スイッチ回路１０２ａ、１０２ｂを備える代わりに、送信アンテナアレイ（例えば、図示しない１０１ａ―１及び１０１ａ―２）及び受信アンテナアレイ（例えば、図示しない１０２ａ―１及び１０２ａ―２）をそれぞれ備えてもよい。
【００５４】
送信ＲＦ回路１０３ａ、１０３ｂは、Ｄ／Ａコンバータ回路１１１ａ、１１１ｂが出力する送信ベースバンド信号を変調し、高周波信号（例えば６０ＧＨｚ帯信号）へ変換し、アンテナアレイ１０１ａ、１０１ｂへ出力する。また、送信ＲＦ回路１０３ａ、１０３ｂは、アンテナアレイ１０１ａ、１０１ｂを構成するアンテナ素子（図示しない）毎に出力信号の位相及び／又は出力を制御することにより、アンテナアレイ１０１ａ、１０１ｂの送信指向性制御を行う。なお、送信指向性制御とは、送信方向によって無線信号の送信強度を制御することである。
【００５５】
受信ＲＦ回路１０４ａ、１０４ｂは、アンテナアレイ１０１ａ、１０１ｂが出力する受信無線信号を受信ベースバンド信号へ変換し、Ａ／Ｄコンバータ１１２ａ、１１２ｂへ出力する。また、受信ＲＦ回路１０４ａ、１０４ｂは、アンテナアレイ１０１ａ、１０１ｂを構成するアンテナ素子（図示しない）毎に入力信号の位相及び/又は出力を制御することにより、アンテナアレイ１０１ａ、１０１ｂの受信指向性制御を行う。なお、受信指向性制御とは、受信方向によって無線信号の受信感度を制御することである。
【００５６】
ＰＨＹ回路１１０は、一例として、Ｄ／Ａコンバータ１１１ａ、１１１ｂ、Ａ／Ｄコンバータ１１２ａ、１１２ｂ、アレイ制御回路１１３、符号化・変調回路１１４、復調・復号回路１１５を備える。
【００５７】
Ｄ／Ａコンバータ１１１ａ、１１１ｂは、符号化・変調回路１１４が出力する送信ディジタルベースバンド信号をデジタル／アナログ変換し、送信ＲＦ回路１０３ａ、１０３ｂへ出力する。
【００５８】
Ａ／Ｄコンバータ１１２ａ、１１２ｂは、受信ＲＦ回路１０４ａ、１０４ｂが出力する受信アナログベースバンド信号をアナログ／デジタル変換し、復調・復号回路１１５へ出力する。
【００５９】
アレイ制御回路１１３は、ＭＡＣ回路１２０のＢＦ制御回路１２４からの指示に基づき、送信ＲＦ回路１０３ａ、１０３ｂ及び受信ＲＦ回路１０４ａ、１０４ｂへ送信指向性制御、受信指向性制御の指示を行う。
【００６０】
符号化・変調回路１１４は、ＭＡＣ回路１２０のフレーム生成回路１２２が出力する送信ＭＡＣフレーム（送信ＰＨＹペイロードという）の符号化（例えば、ＬＤＰＣ：Low Density Parity Check符号化）、変調（例えば、π/2-BPSK：Binary Phase Shift Keying）を行い、送信ディジタルベースバンド信号を２系統の生成し、Ｄ／Ａコンバータ１１１ａ、１１１ｂへ出力する。
【００６１】
復調・復号回路１１５は、Ａ／Ｄコンバータ１１２ａ、１１２ｂが出力する２系統の受信ディジタルベースバンド信号の復調及び復号を行い、復号したＰＨＹデータ（受信ＭＡＣフレームという）をＭＡＣ回路１２０のフレーム受信回路１２３へ出力する。
【００６２】
復調・復号回路１１５が行う復調処理は、例えば、同期処理（プリアンブル検出、周波数同期、タイミング同期）、等化（受信信号のひずみの補正）、データ復調（例えばπ/2-BPSKのシンボルデータをビットデータ及び尤度データに変換）を含む。また、復号処理は、例えば、ＬＤＰＣ復号を含む。
【００６３】
ＭＡＣ回路１２０は、一例として、アクセス制御回路１２１、フレーム生成回路１２２、フレーム受信回路１２３、ＢＦ（ビームフォーミング）制御回路１２４を備える。
【００６４】
アクセス制御回路１２１は、ホスト１３０から入力されるユーザデータ、及び受信アンテナが受信したデータに応じ、送信モードと受信モードとの切り替え、送信タイミングの決定を行い、フレーム生成回路１２２、フレーム受信回路１２３、ＢＦ制御回路１２４の制御を行う。また、ホスト１３０から入力されるユーザデータを送信するため、送信タイミングを決定し、フレーム生成回路１２２を制御する。また、ビームフォーミングトレーニング（ＢＦＴ）を実施するため、ＢＦＴ実施タイミングを決定し、ＢＦ制御回路１２４を制御する。
【００６５】
ホスト１３０は、例えば、ＣＰＵ（Ｃｅｎｔｒａｌ  Ｐｒｏｃｅｓｓｉｎｇ  Ｕｎｉｔ）、または、ＳｏＣ（Ｓｙｓｔｅｍ  ｏｎ  Ｃｈｉｐ）を備え、ＯＳ（Ｏｐｅｒａｔｉｎｇ  Ｓｙｓｔｅｍ）、または、アプリケーションソフトウェア（一例として、ウェブブラウザ、ファイル管理ソフト）を実行する。ＯＳ、または、アプリケーションソフトウェアの要求に応じて、ＭＡＣ回路に対し、例えば、起動、停止、ステータス情報の取得の制御、データ送信要求、受信データの取得を行う。
【００６６】
図６Ｂは、通信装置５００ｅの構成を示す図である。通信装置５００ａ、５００ｂ、５００ｃ、５００ｄ、６００とは異なる別の一例を示す。通信装置５００ｅは、一例として、ホスト１３０、ＭＡＣ回路１２０、ＰＨＹ回路１１０ａ、ＲＦモジュール回路１０９ａを備える。
【００６７】
ＰＨＹ回路１１０ａは、ＩＦ（Intermediate Frequency）転送回路１５２を備える。ＩＦ転送回路１５２は、Ｄ／Ａコンバータ１１１ａ、１１１ｂが出力したアナログベースバンド信号（ＩＱ信号と呼ぶ）を送信ＩＦ（Intermediate Frequency）帯信号と呼ばれる送信ベースバンド信号とＲＦ信号の中間周波数に変調し、ＩＦケーブル１５３を経由してＲＦモジュール回路１０９ａへ転送する。また、ＩＦ転送回路１５２は、アレイ制御回路１１３が出力する制御信号をＩＦ帯制御信号に変調し、送信ＩＦ帯信号と多重してＩＦケーブル１５３に出力してもよい。
【００６８】
ＲＦモジュール回路１０９ａは、ＩＦ転送回路１５１を備える。また、図６Ａの送信ＲＦ回路１０３ａ、１０３ｂ及び受信ＲＦ回路１０４ａ、１０４ｂの代わりに、送信ＲＦ回路１０３ｃ、１０３ｄ及び受信ＲＦ回路１０４ｃ、１０４ｄを備える。
【００６９】
ＩＦ転送回路１５１は、ＩＦケーブル１５３から、ＩＦ帯制御信号を分離し、アレイ制御回路１１３が出力した制御信号を復調し、送信ＲＦ回路１０３ｃ、１０３ｄ及び受信ＲＦ回路１０４ｃ、１０４ｄへ出力する。
【００７０】
また、ＩＦ転送回路１５１は、送信ＩＦ帯信号を分離して送信ＲＦ回路１０３ｃ、１０３ｄへ出力する。送信ＲＦ回路１０３ｃ、１０３ｄは、送信ＩＦ帯信号を送信ＲＦ信号への変調、増幅を行う。また、ＩＦ帯制御信号をＩＦ転送回路１５１が復調した信号に基づき、送信ＲＦ信号の振幅及び位相を制御し、送信指向性の制御を行う。
【００７１】
また、図６Ａでは、受信ＲＦ回路１０４ａ、１０４ｂが受信ＲＦ信号を受信ベースバンド信号に復調したが、図６Ｂでは、受信ＲＦ回路１０４ｃ、１０４ｄは、受信ＲＦ信号を受信ＩＦ帯信号に復調する。ＩＦ転送回路１５１は、受信ＩＦ帯信号を他の信号と多重し、ＩＦケーブル１５３へ出力する。ＩＦ転送回路１５２は、受信ＩＦ帯信号を復調し、受信ベースバンド信号を生成し、Ａ／Ｄコンバータ１１２ａ、１１２ｂへ出力する。
【００７２】
図６Ｂの構成は、図６Ａと比べ、複数の信号をＩＦケーブル１５３に多重して送信するため、ＩＦケーブル１５３を延長することができ、ＰＨＹ回路１１０ａ及びＭＡＣ回路１２０と、ＲＦモジュール回路１０９ａを離して設置することができる。しかしながら、通信装置５００ａ、５００ｂ、５００ｃ、５００ｄ、６００は、ＩＦケーブル１５３において伝送される信号はＰＨＹ回路１１０ａ及びＲＦモジュール回路１０９ａの構成に応じて設計されるものであるから、ＰＨＹ回路１１０ａ及びＲＦモジュール回路１０９ａが離れて配置されていても、一体の機能をなすものと考えられる。
【００７３】
図２のＳＰ１１００において、通信装置５００ａと通信装置５００ｂが通信を行う。通信装置５００ａ、５００ｂは、ＳＰ１１００及び第ｎビーコンインターバル以前（図示しない）において、ＳＩＳＯビームフォーミングトレーニング及びＳＵ−ＭＩＭＯビームフォーミングを行ってもよい。
【００７４】
ＳＩＳＯビームフォーミングは、ＳＩＳＯ通信を行う場合に通信品質の良い送信及び受信アンテナ構成を決定する手順である。ＳＵ−ＭＩＭＯビームフォーミングは、ＳＵ−ＭＩＭＯ通信を行う場合に通信品質の良い送信及び受信アンテナ構成を決定する手順である。
【００７５】
ＳＩＳＯビームフォーミングにより決定された送信及び受信アンテナ構成と、ＳＵ−ＭＩＭＯビームフォーミングにより決定された送信及び受信アンテナ構成は、異なる場合がある。例えば、ＳＵ−ＭＩＭＯビームフォーミングでは、複数の送信アンテナアレイ及び複数の受信アンテナアレイを用いるが、ＳＩＳＯビームフォーミングでは、１つの送信アンテナアレイを選択してもよい、例えば、アンテナアレイ１０１ａを選択してもよい。
【００７６】
また、ＳＵ−ＭＩＭＯビームフォーミングでは、複数の送信アンテナアレイから送信された信号をそれぞれ一定以上の信号強度で受信できるように複数の受信アンテナアレイの指向性をそれぞれ制御する場合があるが、ＳＩＳＯビームフォーミングでは、１つの送信アンテナアレイから送信された信号の受信信号強度を高めるために複数の受信アンテナアレイの指向性をそれぞれ制御して、複数の受信アンテナアレイで受信してもよい。
【００７７】
通信装置５００ａ、５００ｂがＳＩＳＯビームフォーミングトレーニング及びＳＵ−ＭＩＭＯビームフォーミングトレーニングを完了した場合、通信装置５００ａは、ＳＰ１１００ａにおいて、ＳＩＳＯ通信及びＳＵ−ＭＩＭＯ通信をパケット毎に選択して、送信してもよい。
【００７８】
例えば、通信装置５００ａは、パケットサイズが大きいデータパケットをＳＵ−ＭＩＭＯ通信により送信し、データサイズが小さい又は／及び通信品質要求が高いパケット（例えば、マネジメントフレーム、コントロールフレーム、サイズの小さいデータパケット）をＳＩＳＯ通信で送信してもよい。
【００７９】
通信装置５００ａは、ＳＵ−ＭＩＭＯ通信を用いて送信する場合、データパケットの送信に先立ってＳＵ−ＭＩＭＯ通信要求を示すフレーム（例えば、Ｃｏｎｔｒｏｌ  Ｔｒａｌｉｅｒを含むＲＴＳ（Ｒｅｑｕｅｓｔ  Ｔｏ  Ｓｅｎｄ）フレーム）を送信する。通信装置５００ｂは、ＳＵ−ＭＩＭＯ通信要求を示すフレームを受信した場合、受信アンテナ構成をＳＵ−ＭＩＭＯビームフォーミングトレーニングにより決定した構成に変更して、ＳＵ−ＭＩＭＯパケットの待ち受けを行う。
【００８０】
通信装置５００ｂは、ＳＵ−ＭＩＭＯ通信要求を示すフレームを受信しない場合、受信アンテナ構成をＳＩＳＯビームフォーミングトレーニングにより決定した構成に変更して、ＳＩＳＯパケットの待ち受けを行う。
【００８１】
つまり、通信装置５００ａ、５００ｂは、ＳＰ１１００の期間において、受信アンテナ構成を切り替えてもよい。受信アンテナ構成の切り替えに伴い、通信装置５００ａ、５００ｂが受信する干渉の電力の大きさは、変化する場合がある。
【００８２】
図７Ａ、図７Ｂは、通信装置６００の制御により、通信装置５００ａ、５００ｂ、５００ｃ、５００ｄがＳＰＳＨを行う手順を示す図である。
【００８３】
図７Ａにおいて、第ｎビーコンインターバルのＢＴＩにおいて、通信装置６００は、スケジューリング１０００の情報を１つ以上のビーコンフレームに含め、送信する。（ステップＳ２２０１）
【００８４】
通信装置５００ａ、５００ｂ、５００ｃ、５００ｄは、ビーコンフレームを受信する。
【００８５】
図８は、ＡＰ／ＰＣＰである通信装置６００が送信する測定要求を示す図である。通信装置６００は、既存ＳＰを割り当てられている各通信装置（通信装置５００ａ、５００ｂ）に測定要求を送信する。測定要求は、図８に示すＯｐｔｉｏｎａｌ  Ｓｕｂｅｌｅｍｅｎｔｓフィールドに、１１ａｙ規格の拡張サブエレメントを含んでもよい。（ステップＳ２２０２）
【００８６】
図８に示す１１ａｙ規格の拡張サブエレメントの１つに、Ｍｅａｓｕｒｅｍｅｎｔ  Ｃｏｎｆｉｇｕｒａｔｉｏｎ（測定構成）サブエレメント３００１がある。Ｍｅａｓｕｒｅｍｅｎｔ  Ｃｏｎｆｉｇｕｒａｔｉｏｎサブエレメント３００１は、測定を行うチャネルの情報、アンテナ毎の測定結果の報告方法に関する情報を含む。
【００８７】
また、図８に示す１１ａｙ規格の拡張サブエレメントの他の１つに、Ｅｘｔｅｎｄｅｄ  Ｍｅａｓｕｒｅｍｅｎｔ  Ｃｏｎｆｉｇｕｒａｔｉｏｎ（拡張測定構成）サブエレメント３００２がある。Ｅｘｔｅｎｄｅｄ  Ｍｅａｓｕｒｅｍｅｎｔ  Ｃｏｎｆｉｇｕｒａｔｉｏｎサブエレメント３００２は、測定チャネル毎の測定開始時刻、測定継続時間に関する情報を含む。
【００８８】
通信装置６００は、候補ＳＰを割り当てられている各通信装置（通信装置５００ｃ、５００ｄ）に測定要求を送信する。（ステップＳ２２０３）
【００８９】
通信装置５００ａ、５００ｂは、ＳＰ１１００の割当て期間において、ＳＩＳＯ通信及びＳＵ−ＭＩＭＯ通信によるデータフレームの送受信を行う。（ステップＳ２２０４）
【００９０】
通信装置５００ｃ、５００ｄは、ＳＰ１１００の割当て期間において、ステップＳ２２０３において受信した測定要求の情報に基づき、干渉電力の大きさ（ＡＮＩＰＩまたはＲＳＮＩ）を測定する。通信装置５００ｃ、５００ｄは、複数のアンテナアレイを用いて干渉の測定を行ってもよい。（ステップＳ２２０５ａ、Ｓ２２０５ｂ）
【００９１】
通信装置５００ｃ、５００ｄは、ステップ２２０５ａ、２２０５ｂにおいて、ＳＩＳＯビームフォーミングトレーニングに基づく受信アンテナ構成を用いた干渉の測定（ＳＩＳＯ構成による測定という）と、ＳＵ−ＭＩＭＯビームフォーミングトレーニングに基づく受信アンテナ構成を用いた干渉の測定（ＳＵ−ＭＩＭＯ構成による測定という）のいずれを行うかを決定してもよい。
【００９２】
例えば、通信装置５００ｃ、５００ｄは、ＳＵ−ＭＩＭＯ構成による測定を行った後、干渉電力が大きいと判断された場合（例えば、ＳＰ１２００においてＳＵ−ＭＩＭＯ通信に用いるＭＣＳ（Ｍｏｄｕｌａｔｉｏｎ  ａｎｄ  Ｃｏｄｉｎｇ  Ｓｃｈｅｍｅ）の所要ＳＩＮＲを満たせない干渉電力レベルである）、ＳＩＳＯ構成による測定に切り替えて、後述するステップ２２０８ｃ、２２０８ｄにおいて、ＳＩＳＯ構成及びＳＵ−ＭＩＭＯ構成による測定の結果をそれぞれ報告してもよい。
【００９３】
通信装置５００ｃ、５００ｄは、ＳＰ１２００の割当て期間において、データフレームの送受信を行う。（ステップＳ２２０６）
【００９４】
通信装置５００ａ、５００ｂは、ＳＰ１２００の割当て期間において、ステップＳ２２０２において受信した測定要求の情報に基づき、干渉電力の大きさ（ＡＮＩＰＩまたはＲＳＮＩ）を測定する。通信装置５００ａ、５００ｂは、ステップ２２０７ａ、２２０７ｂにおいて、ＳＩＳＯ構成による測定を行うか、ＳＵ−ＭＩＭＯ構成による測定を行うかを決定してもよい。（ステップＳ２２０７ａ、Ｓ２２０７ｂ）
【００９５】
なお、ＡＰ／ＰＣＰである通信装置６００は、ステップＳ２２０２及びステップＳ２２０３において、非ＡＰ／ＰＣＰである通信装置５００ａ、５００ｂ、５００ｃ、５００ｄのそれぞれが、ＳＩＳＯ構成による測定を行うか、ＭＩＭＯ構成による測定を行うかを指定する情報を含めて測定要求を送信してもよい。
【００９６】
非ＡＰ／ＰＣＰである通信装置５００ａは、ステップＳ２２０７ａにおいて測定した干渉電力の大きさと、ＳＩＳＯ構成による測定とＭＩＭＯ構成による測定とのいずれに基づく干渉電力であるかを示す情報を、測定報告に含め、ＡＰ／ＰＣＰである通信装置６００に送信する。測定報告は、一例として、Ｍｅａｓｕｒｅｍｅｎｔ  Ｒｅｐｏｒｔ  ｅｌｅｍｅｎｔ３１００を含むＭＡＣフレームである。（ステップＳ２２０８ａ）
【００９７】
なお、ステップＳ２２０２，Ｓ２２０３において、通信装置６００は、通信装置５００ａ、５００ｂ、５００ｃ、５００ｄに対して、ＳＩＳＯ通信による測定、ＳＵ−ＭＩＭＯ通信による測定、ＳＩＳＯ通信及びＳＵ−ＭＩＭＯ通信による測定のいずれを要求するかを示す情報を測定要求に含めて送信してもよい。一例として、通信装置６００は、後述する図１０のＲＸ  Ａｎｔｅｎｎｎａ  Ｃｏｎｆｉｇｕｒａｔｉｏｎ  Ｔｙｐｅフィールド３１１６と同様のフィールドを、測定要求に含めてもよい。
【００９８】
これにより、通信装置５００ａ、５００ｂ、５００ｃ、５００ｄは、要求された測定方法で測定を行うため、通信装置毎に異なる測定方法で測定を行う場合に比べ、通信装置６００は、ＳＩＳＯ通信及びＳＵ−ＭＩＭＯ通信の場合にＳＰＳＨが可能か否かを判断することが容易になる。
【００９９】
図９は、非ＡＰ／ＰＣＰである通信装置５００が送信する測定報告に含まれるＭｅａｓｕｒｅｍｅｎｔ  Ｒｅｐｏｒｔ  ｅｌｅｍｅｎｔ（測定報告エレメント）３１００のフォーマットの一例を示す図である。
【０１００】
図９において、Ｍｅａｓｕｒｅｍｅｎｔ  Ｔｙｐｅフィールドの値が１３に設定される場合、Ｍｅａｓｕｒｅｍｅｎｔ  Ｒｅｐｏｒｔ  ｆｒａｍｅ（測定報告フレーム）は、Ｄｉｒｅｃｔｉｏｎａｌ  Ｃｈａｎｎｅｌ  Ｑｕａｌｉｔｙ（指向性チャネル品質）の情報を含むことを示す。
【０１０１】
Ｍｅａｓｕｒｅｍｅｎｔ  Ｒｅｐｏｒｔ  ｆｒａｍｅのＯｐｔｉｏｎａｌ  Ｓｕｂｅｌｅｍｅｎｔｓ（非必須サブエレメント）フィールドは、Ｍｅａｓｕｒｅｍｅｎｔ  Ｃｏｎｆｉｇｕｒａｔｉｏｎ（測定構成）サブエレメント３１０１、Ｅｘｔｅｎｄｅｄ  Ｍｅａｓｕｒｅｍｅｎｔ  Ｃｏｎｆｉｇｕｒａｔｉｏｎ（拡張測定構成）サブエレメント３１０２、Ｅｘｔｅｎｄｅｄ  Ｍｅａｓｕｒｅｍｅｎｔ  Ｒｅｐｏｒｔ（拡張測定報告）サブエレメント３１０３を含む。
【０１０２】
図１０は、Ｍｅａｓｕｒｅｍｅｎｔ  Ｃｏｎｆｉｇｕｒａｔｉｏｎサブエレメント３１０１のフォーマットの一例を示す図である。
【０１０３】
Ｓｕｂｅｌｅｍｅｎｔ  ＩＤフィールド３１１１ａは、サブエレメントの種類を示す。サブエレメントがＭｅａｓｕｒｅｍｅｎｔ  Ｃｏｎｆｉｇｕｒａｔｉｏｎサブエレメントである場合、Ｓｕｂｅｌｅｍｅｎｔ  ＩＤフィールドの値は、０である。Ｌｅｎｇｔｈフィールド３１１２ａは、Ｍｅａｓｕｒｅｍｅｎｔ  Ｃｏｎｆｉｇｕｒａｔｉｏｎサブエレメント３１０１の長さを示す。Ｍｅａｓｕｒｅｍｅｎｔ  Ｃｈａｎｎｅｌ  Ｂｉｔｍａｐフィールド３１１３は、測定を行ったチャネル番号の組を示す。Ｃｈａｎｎｅｌ  Ｍｅａｓｕｒｅｍｅｎｔ  Ｒｅｐｏｒｔ  Ｍｅｔｈｏｄ（チャネル測定報告方法）フィールド３１１４は、複数のチャネルにわたって測定した結果をチャネル毎に報告するか、平均値を報告するかを指定する。Ａｎｔｅｎｎａ  Ｍｅａｓｕｒｅｍｅｎｔ  Ｒｅｐｏｒｔ  Ｍｅｔｈｏｄ（アンテナ測定報告方法）フィールド３１１５は、複数の受信アンテナにわたって測定した結果を受信アンテナ毎に報告するか、平均値を報告するかを指定する。
【０１０４】
ＲＸ  Ａｎｔｅｎｎａ  Ｃｏｎｆｉｇｕｒａｔｉｏｎ  Ｔｙｐｅ（受信アンテナ構成種別）フィールド３１１６は、Ｅｘｔｅｎｄｅｄ  Ｍｅａｓｕｒｅｍｅｎｔ  Ｒｅｐｏｒｔサブエレメント３１０３に含められる測定結果の種別を示す。ＲＸ  Ａｎｔｅｎｎａ  Ｃｏｎｆｉｇｕｒａｔｉｏｎ  Ｔｙｐｅフィールド３１１６の値が０である場合、測定結果はＳＩＳＯによる測定に基づく。ＲＸ  Ａｎｔｅｎｎａ  Ｃｏｎｆｉｇｕｒａｔｉｏｎ  Ｔｙｐｅフィールド３１１６の値が１である場合、測定結果はＳＵ−ＭＩＭＯによる測定に基づく。ＲＸ  Ａｎｔｅｎｎａ  Ｃｏｎｆｉｇｕｒａｔｉｏｎ  Ｔｙｐｅフィールド３１１６の値が２である場合、測定結果はＳＩＳＯ及びＳＵ−ＭＩＭＯによる測定に基づく。Ｒｅｓｅｒｖｅｄフィールド３１１７は、将来の拡張時に使用する予備のフィールドであり、通信装置５００、６００は、本実施の形態では、このフィールドの値を考慮しないで処理する。
【０１０５】
図１１は、Ｅｘｔｅｎｄｅｄ  Ｍｅａｓｕｒｅｍｅｎｔ  Ｃｏｎｆｉｇｕｒａｔｉｏｎサブエレメント３１０２のフォーマットの一例を示す図である。
【０１０６】
Ｓｕｂｅｌｅｍｅｎｔ  ＩＤフィールド３１１１ｂの値は、Ｅｘｔｅｎｄｅｄ  Ｍｅａｓｕｒｅｍｅｎｔ  Ｃｏｎｆｉｇｕｒａｔｉｏｎサブエレメントを表す値１に設定される。Ｌｅｎｇｔｈフィールド３１１２ｂは、Ｅｘｔｅｎｄｅｄ  Ｍｅａｓｕｒｅｍｅｎｔ  Ｃｏｎｆｉｇｕｒａｔｉｏｎサブエレメント３１０２の長さを示す。
【０１０７】
Measurement Start Time for 2nd Reported Channel and 1st RX Antenna Configurationフィールド３１２１−２は、測定チャネル数が２以上である場合に、第２の測定チャネルにおいて、第１のアンテナ構成を用いて測定を行った開始時刻の情報を含む。なお、第１の測定チャネルにおいて、第１のアンテナ構成を用いて測定を行った開始時刻の情報は、Ｅｘｔｅｎｄｅｄ  Ｍｅａｓｕｒｅｍｅｎｔ  Ｃｏｎｆｉｇｕｒａｔｉｏｎサブエレメント３１０２に含める代わりに、図９のＭｅａｓｕｒｅｍｅｎｔ  ＲｅｐｏｒｔフレームのＭｅａｓｕｒｅｍｅｎｔ  Ｓｔａｒｔ  Ｔｉｍｅフィールドに含めてよい。
【０１０８】
同様に、Measurement Start Time for 2nd Reported Channel and 1st RX Antenna Configurationフィールド３１２１−２からMeasurement Start Time for Nch-th Reported Channel and 1st RX Antenna Configurationフィールド３１２１−Nchは、測定チャネル数がNchである場合に、第２から第Nchの測定チャネルにおいて、第１のアンテナ構成を用いて測定を行った開始時刻の情報をそれぞれ含む。
【０１０９】
Measurement Duration for 2nd Reported Channel and 1st RX Antenna Configurationフィールド３１２２−２からMeasurement Duration for Nch-th Reported Channel and 1st RX Antenna Configurationフィールド３１２２−Nchは、測定チャネル数がNchである場合に、第２から第Nchの測定チャネルにおいて、第１のアンテナ構成を用いて測定を行った継続時間の情報をそれぞれ含む。なお、第１の測定チャネルにおいて、第１のアンテナ構成を用いて測定を行った継続時間の情報は、Ｅｘｔｅｎｄｅｄ  Ｍｅａｓｕｒｅｍｅｎｔ  Ｃｏｎｆｉｇｕｒａｔｉｏｎサブエレメント３１０２に含める代わりに、図９のＭｅａｓｕｒｅｍｅｎｔ  ＲｅｐｏｒｔフレームのＭｅａｓｕｒｅｍｅｎｔ  Ｄｕｒａｔｉｏｎフィールドに含めてよい。
【０１１０】
Number of Time Blocks for 2nd Reported Channel and 1st RX Antenna Configurationフィールド３１２３−２（フィールドの値はN2,1）からNumber of Time Blocks for Nch-th Reported Channel and 1st RX Antenna Configurationフィールド３１２３−Nch（フィールドの値はNNch,1）は、測定チャネル数がNchである場合に、第２から第Nchの測定チャネルにおいて、第１のアンテナ構成を用いて測定を行った測定ブロック数の情報をそれぞれ含む。なお、第１の測定チャネルにおいて、第１のアンテナ構成を用いて測定を行った測定ブロック数の情報は、Ｅｘｔｅｎｄｅｄ  Ｍｅａｓｕｒｅｍｅｎｔ  Ｃｏｎｆｉｇｕｒａｔｉｏｎサブエレメント３１０２に含める代わりに、図９のＭｅａｓｕｒｅｍｅｎｔ  ＲｅｐｏｒｔフレームのＮｕｍｂｅｒ  ｏｆ  Ｔｉｍｅ  Ｂｌｏｃｋｓフィールド（フィールドの値はＮ）に含めてよい。
【０１１１】
Measurement Start Time for 1st Reported Channel and 2nd RX Antenna Configurationフィールド３１２４−１からMeasurement Start Time for Nch-th Reported Channel and 2nd RX Antenna Configurationフィールド３１２４−Nchは、測定チャネル数がNchである場合に、第１から第Nchの測定チャネルにおいて、第２のアンテナ構成を用いて測定を行った開始時刻の情報をそれぞれ含む。
【０１１２】
Measurement Duration for 1st Reported Channel and 2nd RX Antenna Configurationフィールド３１２５−１からMeasurement Duration for Nch-th Reported Channel and 2nd RX Antenna Configurationフィールド３１２５−Nchは、測定チャネル数がNchである場合に、第１から第Nchの測定チャネルにおいて、第２のアンテナ構成を用いて測定を行った継続時間の情報をそれぞれ含む。
【０１１３】
Number of Time Blocks for 1st Reported Channel and 2nd RX Antenna Configurationフィールド３１２６−１（フィールドの値はN1,2）からNumber of Time Blocks for Nch-th Reported Channel and 2nd RX Antenna Configurationフィールド３１２６−Nch（フィールドの値はNNch,2）は、測定チャネル数がNchである場合に、第１から第Nchの測定チャネルにおいて、第２のアンテナ構成を用いて測定を行った測定ブロック数の情報をそれぞれ含む。
【０１１４】
図１２は、Ｅｘｔｅｎｄｅｄ  Ｍｅａｓｕｒｅｍｅｎｔ  Ｒｅｐｏｒｔサブエレメント３１０３のフォーマットの一例を示す図である。
【０１１５】
Ｓｕｂｅｌｅｍｅｎｔ  ＩＤフィールド３１１１ｃの値は、Ｅｘｔｅｎｄｅｄ  Ｍｅａｓｕｒｅｍｅｎｔ  Ｒｅｐｏｒｔサブエレメントを表す値２に設定される。Ｌｅｎｇｔｈフィールド３１１２ｃは、Ｅｘｔｅｎｄｅｄ  Ｍｅａｓｕｒｅｍｅｎｔ  Ｒｅｐｏｒｔサブエレメント３１０３の長さを示す。
【０１１６】
Number of RX Antennas for 1st Reported Channel and 1st RX Antenna Configurationフィールド３１３１−１（フィールドの値はNRX,1,1）からNumber of RX Antennas for 1st Reported Channel and 1st RX Antenna Configuratioフィールド３１３１−Nch（フィールドの値はNRX,Nch,1）は、測定チャネル数がNchである場合に、Measurement Results for 1st Reported Channel and  1st RX Antenna Configurationフィールド３１３２−１からMeasurement Results for 1st Reported Channel and 1st RX Antenna Configurationフィールド３１３２−Ｎｃｈにそれぞれ含まれる測定アンテナ報告数を示す。
【０１１７】
Measurement Results for 1st Reported Channel and 1st RX Antenna Configurationフィールド３１３２−１からMeasurement Results for 1st Reported Channel and 1st RX Antenna Configurationフィールド３１３２−Nchは、測定チャネル数がNchである場合に、第１から第Nchの測定チャネルにおいて、第１のアンテナ構成を用いて測定した干渉電力に関する情報（例えば、ＲＳＮＩ又はＡＮＩＰＩ）をそれぞれ含む。
【０１１８】
Measurement Results for 1st Reported Channel and 1st RX Antenna Configurationフィールド３１３２−１からMeasurement Results for 1st Reported Channel and 1st RX Antenna Configurationフィールド３１３２−Nchは、それぞれ、測定ブロック数（図１１のフィールド３１２３−２から３１２３−Ｎｃｈの値）及び測定アンテナ報告数（フィールド３１３１−１から３１３１−Ｎｃｈの値）に応じて複数の測定値（例えば、ＲＳＮＩ又はＡＮＩＰＩ）を含めてもよい。
【０１１９】
例えば、Measurement Results for 1st Reported Channel and 1st RX Antenna Configurationフィールド３１３２−Ｎｃｈは、測定ブロック数がNNch,1(図１１のフィールド３１２３−Ｎｃｈを参照)、測定アンテナ報告数がNRX,Nch,1であるから、NNch,1×NRX,Nch,1個の測定値を含む。
【０１２０】
なお、図１０のＡｎｔｅｎｎａ  Ｍｅａｓｕｒｅｍｅｎｔ  Ｒｅｐｏｒｔ  Ｍｅｔｈｏｄフィールド３１１５の値が０の場合、通信装置５００ａは、アンテナアレイ１０１ａ、１０１ｂ毎に測定を行い、アンテナアレイ毎の測定値をフィールド３１３２−１〜３１３２−Ｎｃｈそれぞれ含めて報告してもよい。つまり、測定アンテナ報告数NRX,Nch,1の値を非ＡＰ／ＰＣＰである通信装置５００ａが備える受信アンテナ数としてもよい。
【０１２１】
また、図１０のＡｎｔｅｎｎａ  Ｍｅａｓｕｒｅｍｅｎｔ  Ｒｅｐｏｒｔ  Ｍｅｔｈｏｄフィールド３１１５の値が１の場合、通信装置５００ａは、アンテナアレイ１０１ａ、１０１ｂ毎に測定を行った結果を平均した値を、フィールド３１３２−１〜３１３２−Ｎｃｈそれぞれ含めて報告してもよい。つまり、測定アンテナ報告数NRX,Nch,1の値を１としてもよい。
【０１２２】
同様に、Number of RX Antennas for 1st Reported Channel and 2nd RX Antenna Configurationフィールド３１３３−２(フィールドの値はNRX,1,2)からNumber of RX Antennas for 1st Reported Channel and 2nd RX Antenna Configurationフィールド３１３３−Ｎｃｈ(フィールドの値はNRX,Nch,2)は、それぞれ、Measurement Results for 1st Reported Channel and 2nd RX Antenna Configurationフィールド３１３４−１からMeasurement Results for 1st Reported Channel and 2nd RX Antenna Configurationフィールド３１３４−Nchそれぞれにおける測定アンテナ報告数を含む。
【０１２３】
また、Measurement Results for 1st Reported Channel and 2nd RX Antenna Configurationフィールド３１３４−１からMeasurement Results for 1st Reported Channel and 2nd RX Antenna Configurationフィールド３１３４−Nchは、測定チャネル数がNchである場合に、第１から第Nchの測定チャネルにおいて、第２のアンテナ構成を用いて測定した干渉電力に関する情報をそれぞれ含む。
【０１２４】
以上より、例えば、一例として、非ＡＰ／ＰＣＰである通信装置５００ａは、ＳＩＳＯ構成及びＳＵ−ＭＩＭＯ構成による測定を行った場合、図１０のＲＸ  Ａｎｔｅｎｎａ  Ｃｏｎｆｉｇｕｒａｔｉｏｎ  Ｔｙｐｅの値を２に設定し、第１のアンテナ構成をＳＩＳＯ通信のためのアンテナ構成、第２のアンテナ構成をＳＵ−ＭＩＭＯ通信のためのアンテナ構成として図１１のＥｘｔｅｎｄｅｄ  Ｍｅａｓｕｒｅｍｅｎｔ  Ｃｏｎｆｉｇｕｒａｔｉｏｎサブエレメント３１０２に拡張測定構成情報を含め、第１のアンテナ構成をＳＩＳＯ通信のためのアンテナ構成、第２のアンテナ構成をＳＵ−ＭＩＭＯ通信のためのアンテナ構成として、図１２のＥｘｔｅｎｄｅｄ  Ｍｅａｓｕｒｅｍｅｎｔ  Ｒｅｐｏｒｔサブエレメント３１０３に測定結果を含めて送信する。
【０１２５】
また、他の一例として、非ＡＰ／ＰＣＰである通信装置５００ａは、ＳＩＳＯ構成による測定を行った場合、図１０のＲＸ  Ａｎｔｅｎｎａ  Ｃｏｎｆｉｇｕｒａｔｉｏｎ  Ｔｙｐｅの値を０に設定し、第１のアンテナ構成をＳＩＳＯ通信のためのアンテナ構成として図１１のＥｘｔｅｎｄｅｄ  Ｍｅａｓｕｒｅｍｅｎｔ  Ｃｏｎｆｉｇｕｒａｔｉｏｎサブエレメント３１０２に拡張測定構成情報を含め、図１２のＥｘｔｅｎｄｅｄ  Ｍｅａｓｕｒｅｍｅｎｔ  Ｒｅｐｏｒｔサブエレメント３１０３に測定結果を含めて送信する。
【０１２６】
また、他の一例として、非ＡＰ／ＰＣＰである通信装置５００ａは、ＳＵ−ＭＩＭＯ通信による測定を行った場合、図１０のＲＸ  Ａｎｔｅｎｎａ  Ｃｏｎｆｉｇｕｒａｔｉｏｎ  Ｔｙｐｅの値を１に設定し、第１のアンテナ構成をＳＵ−ＭＩＭＯ通信のためのアンテナ構成として図１１のＥｘｔｅｎｄｅｄ  Ｍｅａｓｕｒｅｍｅｎｔ  Ｃｏｎｆｉｇｕｒａｔｉｏｎサブエレメント３１０２に拡張測定構成情報を含め、図１２のＥｘｔｅｎｄｅｄ  Ｍｅａｓｕｒｅｍｅｎｔ  Ｒｅｐｏｒｔサブエレメント３１０３に測定結果を含めて送信する。
【０１２７】
なお、非ＡＰ／ＰＣＰである通信装置５００ａは、図１０のＲＸ  Ａｎｔｅｎｎａ  Ｃｏｎｆｉｇｕｒａｔｉｏｎ  Ｔｙｐｅの値を０及び１に設定した場合、図１１及び図１２における第２のアンテナ構成に関するフィールド（３１２４−１〜３１２４−Ｎｃｈ、３１２５−１〜３１２５−Ｎｃｈ、３１２６−１〜３１２６−Ｎｃｈ、３１３３−１〜３１３３−Ｎｃｈ、３１３４−１〜３１３４−Ｎｃｈ）を省略して送信する。
【０１２８】
なお、非ＡＰ／ＰＣＰである通信装置５００ａは、図１０のＲＸ  Ａｎｔｅｎｎａ  Ｃｏｎｆｉｇｕｒａｔｉｏｎ  Ｔｙｐｅの値を０及び１に設定した場合、第２から第Ｎｃｈチャネルにおける測定は、第１チャネルにおける測定と同様の条件で行い、Ｅｘｔｅｎｄｅｄ  Ｍｅａｓｕｒｅｍｅｎｔ  Ｃｏｎｆｉｇｕｒａｔｉｏｎサブエレメント３１０２を省略してＭｅａｓｕｒｅｍｅｎｔ  Ｒｅｐｏｒｔエレメント３１００を送信してもよい。
【０１２９】
非ＡＰ／ＰＣＰである通信装置５００ｂ、５００ｃ、５００ｄも同様に、ステップＳ２２０７ｂ、Ｓ２２０５ａ、Ｓ２２０５ｂにおいて測定した干渉電力の大きさを、測定報告に含め、通信装置６００にそれぞれ送信する。（ステップＳ２２０８ｂ、Ｓ２２０８ｃ、Ｓ２２０８ｄ）
【０１３０】
ＡＰ／ＰＣＰである通信装置６００は、非ＡＰ／ＰＣＰである通信装置５００ａ、５００ｂ、５００ｃ、５００ｄから図９のＭｅａｓｕｒｅｍｅｎｔ  Ｒｅｐｏｒｔエレメント３１００を含む測定報告を受信した場合、ＳＩＳＯ及びＳＵ−ＭＩＭＯの場合のそれぞれにおいて、既存ＳＰ１１００と候補ＳＰ１２００のＳＰＳＨが実行可能か否かを決定する。（ステップＳ２２０９）
【０１３１】
例えば、非ＡＰ／ＰＣＰである通信装置５００ａ、５００ｂ、５００ｃ、５００ｄがステップＳ２２０７ａ、Ｓ２２０７ｂ、Ｓ２２０５ａ、Ｓ２２０５ｂにおいてＲＸ  Ａｎｔｅｎｎａ  Ｃｏｎｆｉｇｕｒａｔｉｏｎ  Ｔｙｐｅフィールドの値を１又は２に設定して測定報告を送信し、報告される干渉電力量がいずれも基準値以下である場合、ＡＰ／ＰＣＰである通信装置６００は、ＳＵ−ＭＩＭＯの場合にＳＰＳＨを実行可能と判断する。
【０１３２】
この場合、後述するステップＳ２２０４ａ、Ｓ２２０６ａにおいて、図３に示すＳＰ１３００及びＳＰ１４００のＳＰＳＨが実行され、通信装置５００ａ、５００ｂ、５００ｃ、５００ｄは、ＳＰ１３００及びＳＰ１４００においてＳＵ−ＭＩＭＯ通信を行うことができる。
【０１３３】
また、通信装置５００ａ、５００ｂ、がステップＳ２２０７ａ、Ｓ２２０７ｂにおいてＲＸ  Ａｎｔｅｎｎａ  Ｃｏｎｆｉｇｕｒａｔｉｏｎ  Ｔｙｐｅフィールド３１１６の値を１又は２に設定して測定報告を送信し、通信装置５００ｃ、５００ｄ、がステップＳ２２０５ａ、Ｓ２２０５ｂにおいてＲＸ  Ａｎｔｅｎｎａ  Ｃｏｎｆｉｇｕｒａｔｉｏｎ  Ｔｙｐｅフィールド３１１６の値を０に設定して測定報告を送信し、報告される干渉電力量がいずれも基準値以下である場合、ＡＰ／ＰＣＰである通信装置６００は、ＳＰ１３００においてはＳＵ−ＭＩＭＯの場合にＳＰＳＨを実行可能、及び、ＳＰ１４００においてはＳＩＳＯの場合にＳＰＳＨを実行可能と判断する。なお、ステップＳ２２０７ａ、Ｓ２２０７ｂにおけるＲＸ  Ａｎｔｅｎｎａ  Ｃｏｎｆｉｇｕｒａｔｉｏｎ  Ｔｙｐｅフィールド３１１６の値が２である場合、ＡＰ／ＰＣＰである通信装置６００は、ＳＰ１３００において、ＳＩＳＯでＳＰＳＨを実行可能と判断してもよい。
【０１３４】
図７ＢのステップＳ２２１０において、ＡＰ／ＰＣＰである通信装置６００は、ステップＳ２２０９において既存ＳＰ１１００と候補ＳＰ１２００とのＳＰＳＨを実行可能と判断した場合、次のＢＩ（第ｎ＋１ビーコンインターバル）のＢＴＩにおいて、ＳＰＳＨを許可したスケジューリング情報１５００をビーコンフレームに含め、送信する。既存ＳＰ１１００及び候補ＳＰ１２００は、第ｎ＋１ビーコンインターバルにおいて、ＳＰ１３００及びＳＰ１４００に変更され、時間多重（ＳＰＳＨ）される。
【０１３５】
また、通信装置６００は、ステップＳ２２１０において、ＳＰ１３００及びＳＰ１４００のそれぞれに対して、推奨する通信方法（ＳＩＳＯ及び／又はＳＵ−ＭＩＭＯ）を示す情報をビーコンフレームに含める。推奨する通信方法は、ステップＳ２２０９において実行可能と判断した通信方法である。通信装置６００は、一例として、推奨する通信方法を示す情報をＥＤＭＧ  Ｅｘｔｅｎｄｅｄ  Ｓｃｈｅｄｕｌｅエレメント３２０１に含め、ＥＤＭＧ  Ｅｘｔｅｎｄｅｄ  Ｓｃｈｅｄｕｌｅエレメント３２０１をビーコンフレームに含めて送信してもよい。
【０１３６】
図１３は、ＥＤＭＧ  Ｅｘｔｅｎｄｅｄ  Ｓｃｈｅｄｕｌｅエレメント３２０１のフォーマットの一例を示す図である。通信装置６００は、割り当て（Ａｌｌｏｃａｔｉｏｎ、例えばＳＰ１３００、ＳＰ１４００）毎に１つのＥＤＭＧ  Ｅｘｔｅｎｄｅｄ  Ｓｃｈｅｄｕｌｅエレメント３２０１をビーコンフレームに含める。Ａｌｌｏｃａｔｏｉｎ  Ｋｅｙ（割り当てキー）フィールドは、ＥＤＭＧ  Ｅｘｔｅｎｄｅｄ  Ｓｃｈｅｄｕｌｅ（ＥＤＭＧ拡張スケジュール）エレメント３２０１が、いずれのアロケーションに対応するかを示す情報（送信元ＡＩＤ，送信先ＡＩＤ，アロケーションＩＤ）を含む。
【０１３７】
通信装置６００は、一例として、ＳＰ１３００においてＳＩＳＯ通信を推奨する場合、ＥＤＭＧ  Ｅｘｔｅｎｄｅｄ  Ｓｃｈｅｄｕｌｅエレメント３２０１のＡｌｌｏｃａｔｉｏｎ  ＫｅｙフィールドにＳＰ１３００を示す情報を含め、Ｒｅｃｏｍｍｅｎｄｅｄ  Ｔｒａｎｓｍｉｓｓｉｏｎ  Ｓｃｈｅｍｅ（推奨送信方法）フィールドの値を０に設定して送信する。
【０１３８】
通信装置６００は、一例として、ＳＰ１４００においてＳＵ−ＭＩＭＯ通信を推奨する場合、ＥＤＭＧ  Ｅｘｔｅｎｄｅｄ  Ｓｃｈｅｄｕｌｅエレメント３２０１のＡｌｌｏｃａｔｉｏｎ  ＫｅｙフィールドにＳＰ１４００を示す情報を含め、Ｒｅｃｏｍｍｅｎｄｅｄ  Ｔｒａｎｓｍｉｓｓｉｏｎ  Ｓｃｈｅｍｅフィールドの値を１に設定して送信する。
【０１３９】
通信装置６００は、一例として、ＳＰ１４００においてＳＩＳＯ通信及びＳＵ−ＭＩＭＯ通信を推奨する場合、つまり、ＳＰ１４００においてＳＩＳＯ通信及びＳＵ−ＭＩＭＯ通信のいずれを行っても、ＳＰ１３００における通信により生じる干渉が小さいと判断した場合、ＥＤＭＧ  Ｅｘｔｅｎｄｅｄ  Ｓｃｈｅｄｕｌｅエレメント３２０１のＡｌｌｏｃａｔｉｏｎ  ＫｅｙフィールドにＳＰ１４００を示す情報を含め、Ｒｅｃｏｍｍｅｎｄｅｄ  Ｔｒａｎｓｍｉｓｓｉｏｎ  Ｓｃｈｅｍｅフィールドの値を２に設定して送信する。
【０１４０】
非ＡＰ／ＰＣＰである通信装置５００ａ、５００ｂは、ＳＰ１３００の割当て期間において、ＥＤＭＧ  Ｅｘｔｅｎｄｅｄ  Ｓｃｈｅｄｕｌｅエレメント３２０１が示す推奨される通信方式（ＳＩＳＯ通信及び／又はＳＵ−ＭＩＭＯ通信）を用いてデータフレームの送受信を行う。（ステップＳ２２０４ａ）
【０１４１】
通信装置５００ｃ、５００ｄは、ＳＰ１４００の割当て期間において、ＥＤＭＧ  Ｅｘｔｅｎｄｅｄ  Ｓｃｈｅｄｕｌｅエレメント３２０１が示す推奨される通信方式（ＳＩＳＯ通信及び／又はＳＵ−ＭＩＭＯ通信）を用いてデータフレームの送受信を行う。スケジューリング情報１５００によれば、ＳＰ１４００の割り当て時間は、ＳＰ１３００の割り当て時間と重複があってもよい。（ステップＳ２２０６ａ）
【０１４２】
これにより、通信装置５００ａと通信装置５００ｂとの間の通信、及び、通信装置５００ｃと通信装置５００ｄとの間の通信が同時に行われ、スループットを高め、無線リソースの利用効率を高めることができる。
【０１４３】
実施の形態１では、通信装置６００は、ＳＰＳＨをスケジューリングする場合、推奨される通信方式（ＳＩＳＯ通信及び／又はＳＵ−ＭＩＭＯ通信）の情報をＥＤＭＧ  Ｅｘｔｅｎｄｅｄ  Ｓｃｈｅｄｕｌｅエレメント３２０１に含めて送信するため、通信装置５００ａ、５００ｂ、５００ｃ、５００ｄは、干渉が少ない受信アンテナ構成を用いてＳＰＳＨの通信を行うことができ、無線周波数の利用効率を向上し、通信誤り率を低減することができる。
【０１４４】
また、通信装置５００ａ、５００ｂ、５００ｃ、５００ｄは、通信要求を受信した場合、ＳＩＳＯ通信及び／又はＳＵ−ＭＩＭＯ通信に用いる受信アンテナ構成を選択して又は切り替えて干渉の測定を行い、測定に用いた通信方式をＭｅａｓｕｒｅｍｅｎｔ  Ｒｅｐｏｒｔエレメントに含めて送信するため、通信装置６００は、ＳＩＳＯ通信及び／又はＳＵ−ＭＩＭＯ通信の場合にＳＰＳＨが実行可能か否かを判断することができる。これにより、通信装置６００は、ＳＰＳＨを実行可能と判断する機会が増加し、無線周波数の利用効率を向上することができる。
【０１４５】
本開示はソフトウェア、ハードウェア、又は、ハードウェアと連携したソフトウェアで実現することが可能である。
【０１４６】
上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。
【０１４７】
集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。
【０１４８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４９】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【０１５０】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【０１５１】
通信には、セルラーシステム、無線基地局バックホール回線、無線ＬＡＮシステム、通信衛星システム等によるデータ通信に加え、これらの組み合わせによるデータ通信も含まれる。
【０１５２】
また、通信装置には、本開示に記載される通信機能を実行する通信デバイスに接続又は連結される、コントローラやセンサー等のデバイスも含まれる。例えば、通信装置の通信機能を実行する通信デバイスが使用する制御信号やデータ信号を生成するような、コントローラやセンサーが含まれる。
【０１５３】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【０１５４】
（実施の形態のまとめ）
本開示の非ＡＰ／ＰＣＰ通信装置は、ＡＰ／ＰＣＰ通信装置から送信された、ＳＰＳＨの実施可否判断に用いる測定を要求する測定要求を受信する受信回路と、前記測定要求に基づいて、前記測定をした結果を、前記ＡＰ／ＰＣＰ通信装置に送信する送信回路と、を含み、通信相手である第１の他の非ＡＰ／ＰＣＰ通信装置と通信する期間である第１の通信期間を用いて、前記送信回路及び前記受信回路は、第１の通信方式を用いて、前記第１の他の非ＡＰ／ＰＣＰ通信装置と通信を行い、前記第１の他の非ＡＰ／ＰＣＰ通信装置と通信しない、前記測定要求に含まれる第２の通信期間において、前記受信回路は、前記第１の通信方式を用いて、受信する信号の測定を行い、前記測定結果は、前記受信した信号の測定に関する情報、および、前記第１の通信方式に関する情報を含む。
【０１５５】
本開示のＡＰ／ＰＣＰ通信装置は、複数の非ＡＰ／ＰＣＰ通信装置に対して、ＳＰＳＨの実施可否判断に用いる測定を要求する複数の測定要求を送信する送信回路と、前記複数の非ＡＰ／ＰＣＰ通信装置が測定した複数の測定結果を受信する受信回路と、前記複数の測定結果に応じて、前記ＳＰＳＨの実施可否判断を行う判断回路と、を含み、前記複数の測定要求のそれぞれは、第１の通信期間に通信を行う前記非ＡＰ／ＰＣＰ通信装置に関する情報、前記測定を行う第２の通信期間に関する情報を含み、前記複数の測定結果のそれぞれは、前記測定において用いた通信方式、前記測定結果を含む。
【０１５６】
２０１８年１１月９日出願の特願２０１８−２１１６５６の日本出願に含まれる明細書、図面および要約書の開示内容は、すべて本願に援用される。
【産業上の利用可能性】
【０１５７】
本開示は、ＳＰＳＨのスケジューリングを行うＡＰ／ＰＣＰである通信装置、ＳＰＳＨを実施する非ＡＰ／ＰＣＰである通信装置として好適である。
【符号の説明】
【０１５８】
１００ａ、１００ｂ、１００ｃ、１００ｄ、２００、５００ａ、５００ｂ、５００ｃ、５００ｄ、５００ｅ、６００  通信装置
１０１ａ、１０１ｂ  アンテナアレイ
１０２ａ、１０２ｂ  スイッチ回路（ＳＷ）
１０３ａ、１０３ｂ  送信ＲＦ回路
１０４ａ、１０４ｂ  受信ＲＦ回路
１０９、１０９ａ  ＲＦモジュール回路
１１０、１１０ａ  ＰＨＹ回路
１１１ａ、１１１ｂ  Ｄ／Ａコンバータ
１１２ａ、１１２ｂ  Ａ／Ｄコンバータ
１１３  アレイ制御回路
１１４  符号化・変調回路
１１５  復調・復号回路
１２０  ＭＡＣ回路
１２１  アクセス制御回路
１２２  フレーム生成回路
１２３  フレーム受信回路
１２４  ＢＦ制御回路 
【図１】
2020095557.tif 000003
【図２】
2020095557.tif 000004
【図３】
2020095557.tif 000005
【図４Ａ】
2020095557.tif 000006
【図４Ｂ】
2020095557.tif 000007
【図５】
2020095557.tif 000008
【図６Ａ】
2020095557.tif 000009
【図６Ｂ】
2020095557.tif 000010
【図７Ａ】
2020095557.tif 000011
【図７Ｂ】
2020095557.tif 000012
【図８】
2020095557.tif 000013
【図９】
2020095557.tif 000014
【図１０】
2020095557.tif 000015
【図１１】
2020095557.tif 000016
【図１２】
2020095557.tif 000017
【図１３】
2020095557.tif 000018
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
ＡＰ／ＰＣＰ通信装置からチャネル品質測定要求を受信する受信回路と、
前記チャネル品質測定要求に基づいて、自身及び相手先端末が属する候補サービス期間とは異なる既存サービス期間においてチャネル品質測定を行い、測定結果を含むチャネル品質報告を前記ＡＰ／ＰＣＰ通信装置に送信する送信回路と、
を含み、
前記受信回路が前記チャネル品質報告を受信した後に、前記ＡＰ／ＰＣＰ通信装置が前記既存サービス期間と時間軸において重なるように前記候補サービス期間を割り当てた場合、前記受信回路は、前記候補サービス期間における推奨通信方式を示す推奨通信方式サブフィールドを含むスケジュールエレメントを前記ＡＰ／ＰＣＰ通信装置から受信する、
端末装置。
【請求項２】
前記チャネル品質測定要求は、前記既存サービス期間と前記候補サービス期間との空間共有の実施可能性を判定するために前記ＡＰ／ＰＣＰ通信装置から送信されるものである、
請求項１に記載の端末装置。
【請求項３】
前記既存サービス期間における前記チャネル品質測定では、SISO受信アンテナ構成又はシングルユーザMIMO（SU-MIMO）受信アンテナ構成が用いられる、
請求項１又は２に記載の端末装置。
【請求項４】
前記チャネル品質測定要求は、前記SISO受信アンテナ構成が前記チャネル品質測定に用いられるべきか又は前記SU-MIMO受信アンテナ構成が前記チャネル品質測定に用いられるべきかを示すRX Antenna Configuration Typeフィールドを含む、
請求項３に記載の端末装置。
【請求項５】
前記チャネル品質報告は、前記チャネル品質測定に用いられた受信アンテナ構成が前記SISO受信アンテナ構成又は前記SU-MIMO受信アンテナ構成のいずれであるかを示すRX Antenna Configuration Typeフィールドを含む、
請求項３又は４に記載の端末装置。
【請求項６】
前記推奨通信方式サブフィールドにより示される前記推奨通信方式は、SISO送信又はシングルユーザMIMO（SU-MIMO）送信である、
請求項１乃至５いずれか一項に記載の端末装置。
【請求項７】
前記チャネル品質測定は、前記既存サービス期間と前記候補サービス期間とが時間軸において重ならないように割り当てられた第１のビーコンインターバルにおいて実施され、
空間共有は、前記既存サービス期間と前記候補サービス期間とが時間軸において重なるように割り当てられた第２のビーコンインターバルにおいて実施される、
請求項１乃至６いずれか一項に記載の端末装置。
【請求項８】
前記チャネル品質測定要求は、測定チャネル情報、測定結果報告方法、測定開始時刻、測定継続期間、測定する時間ブロック数をそれぞれ示すサブフィールドを含む、
請求項１乃至７いずれか一項に記載の端末装置。
【請求項９】
端末装置における通信方法であって、
ＡＰ／ＰＣＰ通信装置からチャネル品質測定要求を受信し、
前記チャネル品質測定要求に基づいて、前記端末装置及び相手先端末が属する候補サービス期間とは異なる既存サービス期間においてチャネル品質測定を行い、
測定結果を含むチャネル品質報告を前記ＡＰ／ＰＣＰ通信装置に送信し、
前記チャネル品質報告を受信した後に、前記ＡＰ／ＰＣＰ通信装置が前記既存サービス期間と時間軸において重なるように前記候補サービス期間を割り当てた場合、前記候補サービス期間における推奨通信方式を示す推奨通信方式サブフィールドを含むスケジュールエレメントを前記ＡＰ／ＰＣＰ通信装置から受信する、
通信方法。
【請求項１０】
前記チャネル品質測定要求は、前記既存サービス期間と前記候補サービス期間との空間共有の実施可能性を判定するために前記ＡＰ／ＰＣＰ通信装置から送信されるものである、
請求項９に記載の通信方法。
【請求項１１】
前記既存サービス期間における前記チャネル品質測定では、SISO受信アンテナ構成又はシングルユーザMIMO（SU-MIMO）受信アンテナ構成が用いられる、
請求項９又は１０に記載の通信方法。
【請求項１２】
前記チャネル品質測定要求は、前記SISO受信アンテナ構成が前記チャネル品質測定に用いられるべきか又は前記SU-MIMO受信アンテナ構成が前記チャネル品質測定に用いられるべきかを示すRX Antenna Configuration Typeフィールドを含む、
請求項１１に記載の通信方法。
【請求項１３】
前記チャネル品質報告は、前記チャネル品質測定に用いられた受信アンテナ構成が前記SISO受信アンテナ構成又は前記SU-MIMO受信アンテナ構成のいずれであるかを示すRX Antenna Configuration Typeフィールドを含む、
請求項１１又は１２に記載の通信方法。
【請求項１４】
前記推奨通信方式サブフィールドにより示される前記推奨通信方式は、SISO送信又はシングルユーザMIMO（SU-MIMO）送信である、
請求項９乃至１３いずれか一項に記載の通信方法。
【請求項１５】
前記チャネル品質測定は、前記既存サービス期間と前記候補サービス期間とが時間軸において重ならないように割り当てられた第１のビーコンインターバルにおいて実施され、
空間共有は、前記既存サービス期間と前記候補サービス期間とが時間軸において重なるように割り当てられた第２のビーコンインターバルにおいて実施される、
請求項９乃至１４いずれか一項に記載の通信方法。
【請求項１６】
前記チャネル品質測定要求は、測定チャネル情報、測定結果報告方法、測定開始時刻、測定継続期間、測定する時間ブロック数をそれぞれ示すサブフィールドを含む、
請求項９乃至１５いずれか一項に記載の通信方法。
【請求項１７】
ＡＰ／ＰＣＰ通信装置からチャネル品質測定要求を受信する処理と、
前記チャネル品質測定要求に基づいて、端末装置及び相手先端末が属する候補サービス期間とは異なる既存サービス期間においてチャネル品質測定を行う処理と、
測定結果を含むチャネル品質報告を前記ＡＰ／ＰＣＰ通信装置に送信する処理と、
前記チャネル品質報告を受信した後に、前記ＡＰ／ＰＣＰ通信装置が前記既存サービス期間と時間軸において重なるように前記候補サービス期間を割り当てた場合、前記候補サービス期間における推奨通信方式を示す推奨通信方式サブフィールドを含むスケジュールエレメントを前記ＡＰ／ＰＣＰ通信装置から受信する処理と、
を制御する集積回路。
【手続補正３】
【補正対象書類名】明細書
【補正対象項目名】０００１
【補正方法】変更
【補正の内容】
【０００１】
本開示は、端末装置、通信方法、及び集積回路に関する。
【国際調査報告】
2020095557.tif 000019
2020095557.tif 000020
2020095557.tif 000021
2020095557.tif 000022
2020095557.tif 000023
2020095557.tif 000024